(57)【特許請求の範囲】
【請求項１】
反射膜で覆われた情報記録面を有する第１の透明基盤と情報記録面を有しない第２の透明基盤が接着層を介して貼り合わされた光情報記録媒体において、前記第２の透明基盤の表裏両面，および前記反射膜のピックアップで読み取られる面とは反対側の面のうちの複数の面に、領域が重なるように、画像を分散させて印刷された印刷層を有し、立体感、奥行き感のある印刷が施されたことを特徴とする光情報記録媒体。
【請求項２】
反射膜で覆われた情報記録面を有する第１の透明基盤と情報記録面を有しない第２の透明基盤が接着層を介して貼り合わされた光情報記録媒体において、前記反射膜のピックアップで読み取られる面とは反対側の面は透明保護膜で覆われたものであり、前記第２の透明基盤の表裏両面，前記透明保護膜の前記反射膜を覆った状態の表面，および前記反射膜のピックアップで読み取られる面とは反対側の面のうちの複数の面に、領域が重なるように、画像を分散させて印刷された印刷層を有し、立体感、奥行き感のある印刷が施されたことを特徴とする光情報記録媒体。
【請求項３】
前記画像を近景の図柄と背景の図柄に分散させたことを特徴とする請求項１または２に記載の光情報記録媒体。
【請求項４】
前記複数の面の各面に印刷された印刷層が、各面ごとに異なる１色づつに印刷された印刷層であることを特徴とする請求項１または２に記載の光情報記録媒体。
【請求項５】
前記印刷層が半透明のインクで形成されていることを特徴とする請求項１ないし４のいずれか１項に記載の光情報記録媒体。
【発明の詳細な説明】
【０００１】
【発明の属する技術分野】
本発明は、２枚の透明基盤を貼り合わせた構造、特に情報記録面を有する基盤にダミー基盤を貼り合わせた、ＤＶＤ等の光情報記録媒体に関するものである。
【０００２】
【従来の技術】
近年、大容量高密度の光情報記録媒体の実用化が進んでいる。再生専用媒体ではコンパクトディスク（ＣＤ）、光ビデオディスク（ＬＤ）等を中心として広く普及し、ＣＤ−ＲＯＭやビデオＣＤも市場に普及しつつある。さらに情報の書き換えが可能なものも、相変化型（ＰＤ）、光磁気ディスク（ＭＯ）などがコンピュータの外部記録媒体として実用化されている。また、１回だけの記録が可能で、ＣＤ，ＣＤ−ＲＯＭドライブで再生が可能な追記型光ディスク（ＣＤ−Ｒ）が、オーサリング段階の試作ディスク，マスターディスク，コンピュータの外部記録媒体として定着しつつある。しかしながら、これらの光ディスクは独立した規格に則ったものであり、一部を除いて互換性がなく、特に記録可能ディスクは一般的な普及に至らず、また、再生専用ディスクもギガバイトクラスのハードディスクの普及に伴い、大容量メディアとしての優位性が揺らぎ始めている。
【０００３】
このような状況の中、ＣＤのような音楽データ，ＬＤのような高品質の動画像データ，ＣＤ−ＲＯＭのコンピュータデータを包括し、再生専用ディスクを統合した次世代のマルチメディア媒体としての光ディスクが提案され、１９９５年１２月にＤＶＤ（Ｄｉｇｉｔａｌ  Ｖｅｒｓａｔｉｌｅ  Ｄｉｓｋ）として規格統一された。ＤＶＤは、従来よりも記録密度を上げるため、情報を記録するピットの大きさは、ＣＤと比較して半径方向，円周方向ともに半分弱となる。またディスクのチルトによる再生劣化の影響をなくすため、基盤の厚さを０．６ｍｍとし、機械的強度を保つため、この基盤２枚を貼り合わせた構造としている。この貼り合わせる各基盤の片方または両方に情報を記録でき、片面再生，両面再生，片面２層再生とすることができる。最初に、各タイプのＤＶＤのディスク構造を図７ないし図１０を参照しながら簡単に説明する。
【０００４】
図７は、ＤＶＤ−５の構造を説明するための光ディスクの断面図である。図中、１は第１の透明基盤、２は反射膜、４は第２の透明基盤、５は接着層、３１はピックアップである。この構造は、ＤＶＤ規格のＤＶＤ−５の構造を表すもので、１層式片面光ディスクである。第１の透明基盤１は、情報を有する基盤であり、裏面にピット列が形成され、反射膜２により覆われている。ピット列は、記録すべきデータにより変調されている。ピット列が形成されていない第２の透明基盤４は、情報を有しないダミーの基盤であり、接着層５を介して第１の透明基盤１と貼り合わされている。接着層５は、通常、透明な紫外線硬化樹脂層である。ピックアップ３１により片面再生され，記録容量は４．７ＧＢでありＣＤの約６倍、光ビデオディスクと同等以上の動画を２時間記録することができる。このＤＶＤ−５の再生は片側からだけ行なわれ、情報の入っていないダミーの基盤は、今までのＣＤと同様に印刷面として使用することができる。
【０００５】
図８は、ＤＶＤ−１０の構造を説明するための光ディスクの断面図である。図中、図７と同様な部分には同じ符号を用いて説明を省略する。４１は反射膜である。この構造は、ＤＶＤ規格のＤＶＤ−１０の構造を表すもので、１層式両面光ディスクである。第１の透明基盤１側と同様に、第２の透明基盤４も情報を有する基盤であり、裏面にピット列が形成され、反射膜４１により覆われている。第１の透明基盤１と第２の透明基盤４とは、接着層５を介して貼り合わされている。記録容量はＤＶＤ−５の２倍となり、再生は片面ずつ光ディスクを裏返して再生するか、または、両面再生が可能なように２つのピックアップ３１を搭載したプレーヤでは自動的に両面の再生を行なう。
【０００６】
図９は、ＤＶＤ−９の構造を説明するための光ディスクの断面図である。図中、図７と同様な部分には同じ符号を付して説明を省略する。５１は半透明膜、５２は接着層、５３は反射膜である。この構造は、ＤＶＤ規格のＤＶＤ−９の構造を表すもので、２層式片面光ディスクである。第１の透明基盤１は、情報を有する基盤であり、裏面にピット列が形成され、半透明膜５１が積層され、これにより覆われている。第２の透明基盤４も情報を有する基盤であり、裏面にピット列が形成され、アルミニウム等の反射率の高い反射膜５３が積層され、これにより覆われている。
【０００７】
第１の透明基盤１と第２の透明基盤４とは、紫外線硬化樹脂（ＵＶ樹脂）を用いた接着層５２を介して数十μｍ隔てて貼り合わされている。ピックアップ３１により半透明膜５１に覆われた第１の透明基盤１の裏面のピット列からなる第１の情報記録面が再生され、フォーカス位置を変えたピックアップ３１により反射膜５３に覆われた第２の透明基盤４の裏面のピット列からなる第２の情報記録面が再生される。光ディスクの両面を再生するために光ディスクを裏返したり、上下面に２つのピックアップ３１を搭載したプレーヤを用いることなしに、片面から両方の基盤の情報面の再生が可能なディスクである。
【０００８】
半透明層の屈折率と膜厚を最適化することで、第１の情報記録面、第２の情報記録面それぞれの反射率を、ともに２０〜３０％に調整することができる。紫外線硬化樹脂の膜厚は、それぞれの層にフォーカスサーボが可能であること、層間クロストークがないこと、盤厚が０．６ｍｍからずれることによる収差の影響を少なくすることなどにより決定される。
【０００９】
図１０は、ＤＶＤ−１８の構造を説明するための光ディスクの断面図である。図中、図７と同様な部分には同じ符号を付して説明を省略する。１１，６２は半透明膜、１２，６３は透明樹脂層、１３，６４は反射膜、６１は接着層である。この構造は、ＤＶＤ規格のＤＶＤ−１８の構造を表すもので、２層式両面光ディスクである。
【００１０】
第１の透明基盤１の裏面にピット列が形成され、半透明膜１１により覆われている。この半透明膜１１上に、２Ｐ（フォトポリメリゼーション，ｐｈｏｔｏ  ｐｏｌｙｍｅｒｉｚａｔｉｏｎ）法によりピット列が刻まれた、紫外線硬化樹脂の透明樹脂層１２が形成され、反射膜１３により覆われている。第２の透明基盤４についても同様で、第２の透明基盤４の裏面にピット列が形成され、半透明膜６２により覆われ、この半透明膜６２上に形成された紫外線硬化樹脂の透明樹脂層６３上にも２Ｐ法によりピット列が刻まれ、反射膜６４により覆われている。第１の透明基盤１と第２の透明基盤４とは、読み出し面を外側にして、接着層６１を介して貼り合わされている。
【００１１】
ピックアップ３１により半透明膜１１に覆われた第１の透明基盤１の裏面のピット列からなる第１の情報記録面が再生され、ピックアップ３１により反射膜１３により覆われた透明樹脂層１２の表面のピット列からなる第２の情報記録面が再生される。第２の透明基盤４についても同様に、ピックアップ３１により半透明膜６２に覆われた第２の透明基盤４の裏面のピット列からなる第１の情報記録面が再生され、ピックアップ３１により反射膜６４により覆われた透明樹脂層６３の表面のピット列からなる第２の情報記録面が再生される。このように、両面４層再生されるか、または、光ディスクを裏返すことによって片面２層再生される。
【００１２】
上述したＣＤ，ＣＤ−ＲＯＭ等の単板の光ディスクでは、記録信号を再生する面と反対側の面に、タイトル，発売元等、記録情報に関係した内容の情報を印刷によって表示していた。また、図７を参照して説明したＤＶＤ−５では、記録情報を有する厚さ０．６ｍｍの第１の透明基盤１と記録情報を有さないダミー基盤である厚さ０．６ｍｍの第２の透明基盤４とを貼り合わせた構造となっており、記録情報に関係した内容の情報は、第２の透明基盤４の表面または貼り合わせ面のいずれか一方の面に印刷によって表示する。
【００１３】
しかし、従来の光ディスクやＤＶＤ−５の印刷表示は、１の面にのみ印刷を施すので、奥行き感または立体感のある可視表示を行なうことができなかった。
【００１４】
【発明が解決しようとする課題】
本発明は、上述した事情に鑑みてなされたもので、情報基盤にダミー基盤を貼り合わせた構造の、例えば、ＤＶＤ−５のような光情報記録媒体において、立体的な演出効果、奥行き感のある可視表示を可能とする光情報記録媒体を提供することを目的とするものである。
【００１５】
【課題を解決するための手段】
請求項１に記載の発明は、反射膜で覆われた情報記録面を有する第１の透明基盤と情報記録面を有しない第２の透明基盤が接着層を介して貼り合わされた光情報記録媒体において、前記第２の透明基盤の表裏両面，および前記反射膜のピックアップで読み取られる面とは反対側の面のうちの複数の面に、領域が重なるように、画像を分散させて印刷された印刷層を有し、立体感、奥行き感のある印刷が施されたことを特徴とするものである。
【００１６】
請求項２に記載の発明は、反射膜で覆われた情報記録面を有する第１の透明基盤と情報記録面を有しない第２の透明基盤が接着層を介して貼り合わされた光情報記録媒体において、前記反射膜のピックアップで読み取られる面とは反対側の面は透明保護膜で覆われたものであり、前記第２の透明基盤の表裏両面，前記透明保護膜の前記反射膜を覆った状態の表面，および前記反射膜のピックアップで読み取られる面とは反対側の面のうちの複数の面に、領域が重なるように、画像を分散させて印刷された印刷層を有し、立体感、奥行き感のある印刷が施されたことを特徴とするものである。
【００１７】
請求項３に記載の発明は、請求項１または２に記載の光情報記録媒体において、前記画像を近景の図柄と背景の図柄に分散させたことを特徴とするものであり、請求項４に記載の発明は、請求項１または２に記載の光情報記録媒体において、前記複数の面の各面に印刷された印刷層が、各面ごとに異なる１色づつに印刷された印刷層であることを特徴とするものであり、請求項５に記載の発明は、請求項１ないし４のいずれか１項に記載の光情報記録媒体において、前記印刷層が半透明のインクで形成されていることを特徴とするものである。
【００１８】
【発明の実施の形態】
図１は、本発明の第１の実施の形態を説明するための光ディスクの断面図である。図中、図７と同様な部分には同じ符号を付して説明を省略する。３は透明保護膜、６〜９は印刷層である。わかりやすくするために、図７と同様に情報記録面のピット列を凹凸で表現しているが、実際には、ピット列の凹凸が無視できる長さおよび面積の印刷がなされる。また、反射膜２の裏面を平滑面として図示しているが、通常、ピット列に応じた凹凸面となる。しかし、この凹凸は、印刷層の面積および厚みに比較して無視できる程度である。裏面が平滑面になるように反射膜２を形成してもよい。
【００１９】
この実施の形態は、反射膜２で覆われた情報記録面を片側に有する第１の透明基盤１と情報記録面を有しない第２の透明基盤４が透明な接着層５を介して貼り合わされた光ディスクであって、反射膜２が透明保護膜３で覆われ、第２の透明基盤４の表裏両面，透明保護膜３の表面，反射膜２の裏面のうち、複数の面に印刷層６〜９を有するものである。透明保護膜３の表面と第２の透明基盤４の裏面とが透明な接着層５を介して貼り合わされている。
【００２０】
ここで、第２の透明基盤４の表面とは、貼り合わせた後に外側を向く面を意味し、その反対側を裏面とする。また、透明保護膜３の表面とは、反射膜２を覆った状態の表面を意味し、その反対側の反射膜２の側を裏面とする。反射膜２の表面とは、ピックアップで読み取られる側を意味し、その反対側を裏面とする。
【００２１】
第２の透明基盤４の表面が第１の印刷面となり、ここに印刷層６が設けられ、第２の透明基盤４の裏面が第２の印刷面となり、印刷層７が設けられる。また、紫外線硬化樹脂を用いて反射膜２をコートする透明保護膜３の表面が第３の印刷面となり、印刷層８が設けられる。情報の入った第１の透明基盤１上に積層された反射膜２の裏面が第４の印刷面となり、印刷層９が設けられる。なお、第２の透明基盤４の両面は必ずしも完全な平滑面である必要はなく、印刷層を設けることができる程度の平滑な表面であればよく、また、印刷インクの印刷面への被着力を大きくするために粗面にしてもよい。
【００２２】
図２は、図１に示した光ディスクの貼り合わせ前の状態を説明する光ディスクの断面図である。図中、図７，図１と同様な部分には同じ符号を付して説明を省略する。上述した第１ないし第４の印刷面の内、複数の面に印刷を施した後、紫外線硬化樹脂などの透明な接着層５によって第１の透明基盤１と第２の透明基盤２の貼り合わせを行ない、図１に示したような断面構造となる。印刷層９は、紫外線硬化樹脂の透明保護膜３のコーティング前に印刷する必要があり、また、印刷層６は、貼り合わせ後に印刷をしてもよい。
【００２３】
貼り合わせ完成後において、印刷層６の第１の印刷面と印刷層７の第２の印刷面の間隔は、第２の透明基盤４の盤厚に等しくなるため約０．６ｍｍ、印刷層７の第２の印刷面と印刷層８の第３の印刷面の間隔は、貼り合わせのスペース層となる透明な接着層５の厚みとなるため数μｍ〜数十μｍとなる。印刷層８の第３の印刷面と印刷層９の第４の印刷面の間隔は、透明保護膜３の厚みとなるため、数μｍ〜数十μｍとなる。
【００２４】
このように、光ディスクの厚み方向の異なった位置にある複数の印刷面に印刷層を設けるようにしたので、奥行き感および立体感のある印刷表示を行なうことができる。また、複数の印刷面に分散して印刷層を設けているため、各印刷面に１色づつの印刷を行なっても、全体としては多色印刷として視認することができる。
【００２５】
図３は、本発明の第２の実施の形態を説明するための光ディスクの断面図である。図中、図７と同様な部分には同じ符号を付して説明を省略する。この実施の形態は、図１に示した第１の実施の形態に比べて、透明保護膜３がないものである。また、図示の例では、印刷層を印刷層６，印刷層７の２層としている。
【００２６】
図４は、図３に示した光ディスクの外観の一例を示す平面図である。図４（Ａ）は第２の印刷面の印刷層、図４（Ｂ）は第１の印刷面の印刷層、図４（Ｃ）は完成した光ディスクの外観図である。図中、図７と同様な部分には同じ符号を付して説明を省略する。図４（Ａ）に示すように、第２の透明基盤４の裏面側である第２の印刷面に背景の図柄の印刷層７を形成する。一方、図４（Ｂ）に示すように第２の透明基盤４の表面側である第１の印刷面に近景の図柄の印刷層６を形成する。第２の透明基盤４を裏返して図３に示した第１の透明基盤１側に貼り合わせると、図４（Ｃ）に示すような光ディスクが完成する。
【００２７】
この光ディスクは、見る方向によって背景と近景の図柄の位置関係が変化するため、立体感、奥行き感のある印刷となる。もちろん、図柄は任意に選択することができ、タイトル等の文字を印刷することができる。このように、本発明は、貼り合わせディスクの特徴を生かし、付加価値を高めた印刷が可能となる。
【００２８】
図５は、本発明の第３の実施の形態を説明するための光ディスクの断面図である。図中、図７，図１０と同様な部分には同じ符号を付して説明を省略する。この実施の形態は、情報記録面を有する第１の透明基盤１側を、図１０に示したＤＶＤ−１８の第１の透明基盤１側と同様な片側２層の断面構造としたものである。
【００２９】
このような第１の透明基盤１側と情報記録面を有しないダミーの第２の透明基盤４を貼り合わせると、記録容量は図９に示したＤＶＤ−９と同様ながら、多層印刷とすることができる。図示の例では、印刷層６，印刷層７の２層としているが、反射膜１３の裏面に印刷層を設けることもできる。また、図１に示したような透明保護膜３を設ければ、この表面を印刷面として、ここにも印刷層を設けることができる。
【００３０】
上述した各実施の形態において、第２の透明基盤４側の表面または裏面に、同様に透明保護膜３と同様の紫外線硬化樹脂コート層を設け、その表面を印刷層として用いてもよく、この場合、印刷面の数は５面なる。同様に、第１の透明基盤１，第２の透明基盤基盤４共に、紫外線硬化樹脂コート層を多層とすることで印刷面をさらに増やすこともできる。
【００３１】
図６は、本発明の第４の実施の形態を説明するための光ディスクの断面図である。この断面図は、光ディスクの径方向に切断した断面図であり、データ領域とこれより外周側の領域とを説明するために、光ディスクの径方向を圧縮して図示している。図中、図７，図１と同様な部分には同じ符号を付して説明を省略する。２１はデータ領域、２２はリードアウト部、２３，２４は印刷層である。
【００３２】
この実施の形態は、第１の透明基盤１の情報記録領域のリードアウト部２２の外側に位置する第１の透明基盤１の裏面を第５の印刷面として、ここに印刷層２３を、また、この表面を第６の印刷面として、ここに印刷層２４を設けたものである。上述した各実施の形態の印刷層６〜８に加えれば、さらに印刷層を増やすことができる。リードアウト部２２の外側の領域では、反射膜２がないためこの裏面に印刷層を設けることができないが、５層の印刷ができる。
【００３３】
ＤＶＤ−５の規格において、情報記録領域のリードアウト部２２の位置は、データ領域２１の外側にあると規定されているだけである。したがって、光ディスクに記録されているプログラム量，データ量が少ない場合は、リードアウト部２２の外側の領域が広くなる。そのため、印刷表示にこの領域を利用することができる。
【００３４】
【実施例】
本発明の第１の実施例について具体的に説明する。この第１の実施例は、図３，図４に示した光ディスクの実施例である。表面を研磨などの方法で平坦にした、直径２００ｍｍ、厚さ６．０ｍｍ、のガラス基盤をホットプレートにて１２０℃、５分で脱水ベイクを行ない、その基盤上に、スピンコート法でｉ線用ポジ型レジスト（日本ゼオン社、商品名「ＳＴ１１」）を塗布し、ガラス原盤を作製した。
【００３５】
記録したい信号に応じてレーザ光をＥＯ変調器等を用いて光強度変調し、対物レンズで絞り込んでフォトレジスト層が塗布されたガラス原盤に照射した。記録直径４５〜１１６ｍｍをデータ記録エリアとして記録を行なった。ポストベークおよび現像の後、Ｎｉ電鋳、射出成形を経て、厚さ０．６ｍｍのポリカーボネートの透明樹脂ディスクを得た。この透明樹脂ディスクにスパッタリング法で、反射膜２としてアルミニウム（Ａｌ）を１０ｎｍ積層し、第１の透明基盤１を得た。
【００３６】
一方、厚さ０．６ｍｍの透明基盤を第２の透明基盤４とし、貼り合わせ面となる第２の印刷面に印刷層７の印刷を施した。さらに、第１の印刷面にも印刷層６を施した。以上のようにして得られた第１の透明基盤１と第２の透明基盤４とを紫外線硬化樹脂を用いて貼り合わせを行ない、透明な接着層５の樹脂厚を４０μｍとした。こうして立体感、奥行き感のある印刷が施された光ディスクを得ることができた。
【００３７】
本発明の第２の実施例について具体的に説明する。この第２の実施例は、図５に示した光ディスクの実施例である。第１の実施例と同様にして、厚さ０．６ｍｍのポリカーボネートの透明樹脂ディスクを得た。この透明樹脂ディスクにスパッタリング法で、半透明膜１１として窒化シリコンを１０ｎｍ積層し、さらに２Ｐ法にて情報面を作成し、反射膜１３としてアルミニウム（Ａｌ）をスパッタリング法にて１００ｎｍ積層し第１のディスク基盤を得た。
【００３８】
一方、厚さ０．６ｍｍの透明基盤を第２の透明基盤４とし、貼り合わせ面となる第２の印刷面に印刷層７の印刷を施した。さらに、第１の印刷面にも印刷層６の印刷を施した。以上のようにして得られた第１の透明基盤１と第２の透明基盤４とを紫外線硬化樹脂を用いて貼り合わせを行ない、透明な接着層５の樹脂厚を４０μｍとした。こうして立体感、奥行き感のある印刷が施された光ディスクを得ることができた。
【００３９】
上述した説明では、ＤＶＤ−５およびＤＶＤ−１８の変形例について例示したが、同様な貼り合わせの断面構造を有する光情報記録媒体であれば、同様に複数の印刷層を設けることができる。また、情報記録面は、再生専用のものである必要はなく、記録再生が可能なものでもよい。
【００４０】
上述した説明では、印刷インクについては説明しなかったが、顔料系，染料系いずれの印刷インクでも、それぞれの印刷面に印刷可能であればどのような種類のものでもよい。ＣＤの表面への印刷に用いている従来の印刷インクと同様のものを用いることができる。ＣＤの表面への従来の印刷では、比較的盛り上がった印刷層であり、また、光を透過しにくい遮蔽色が用いられている。
【００４１】
しかし、図１に示した印刷層７など、光ディスクの内部に形成される印刷層については、この上にさらに合成樹脂層が形成されるため、層の厚みを薄くする方が好ましい。また、図１に示した印刷層６など、光ディスクの表面または表面に近い印刷層について、光を透過しやすい半透明のインクを用いると、この印刷層に領域が重なる内部の印刷層と混合されて見えるため、透明感が得られる。さらにまた、金属箔、金属粉を単独または接着剤とともに用いてもよく、このようなものも、本発明でいう印刷層に含まれる。
【００４２】
なお、第２の透明基盤４，透明保護膜３，接着層５は、必ずしも光の透過率が１００％に近い高透明度のものとする必要はない。たとえば、染料や顔料などを合成樹脂材料に混ぜて光の透過率を低くしたり、波長選択性のある透過率にすることもできる。また、第２の透明基盤４の表裏面のみに印刷を施す場合は、接着層５が透明である必要はない。ただし、第１の透明基盤１は、情報記録面をピックアップで読み取るために所定の透過率が必要である。
【００４３】
印刷内容としては、必ずしも、タイトル，発売元等、記録情報に関係した内容の情報に限らない。また、光ディスクの内部にある印刷層は、外表面にある印刷層に比べて、経年変化や傷つきによって剥がれるおそれがない。したがって、このような内部の印刷層には、重要度の高い情報を印刷するのに好適であり、印刷内容の改ざんの防止にもなる。このような情報が印刷された領域の光ディスクの表面側に不透明な印刷層を設けて、外からこの情報を隠すことも可能である。
【００４４】
【発明の効果】
以上の説明から明らかなように、請求項１に記載の発明によれば、第２の透明基盤の表裏両面，および前記反射膜のピックアップで読み取られる面とは反対側の面のうちの複数の面に、領域が重なるように、画像を分散させて印刷された印刷層を有し、立体感、奥行き感のある印刷が施されたことから、また、請求項２に記載の発明によれば、反射膜のピックアップで読み取られる面とは反対側の面は透明保護膜で覆われたものであり、第２の透明基盤の表裏両面，透明保護膜の反射膜を覆った状態の表面，および反射膜のピックアップで読み取られる面とは反対側の面のうちの複数の面に、領域が重なるように、画像を分散させて印刷された印刷層を有し、立体感、奥行き感のある印刷が施されたことから、少ないコストで付加価値の大きい光情報記録媒体が得られるという効果がある。請求項３に記載の発明のように、画像を近景の図柄と背景の図柄に分散させたことにより、より立体感、奥行き感のある印刷ができる。
【００４５】
請求項４に記載の発明によれば、複数の面の各面に印刷された印刷層が、各面ごとに異なる１色づつに印刷された印刷層であることにより、各印刷面に１色づつの印刷を行なっても、全体としては多色印刷として視認することができるという効果がある。また、請求項５に記載の発明によれば、印刷層が半透明のインクで形成されていることにより、透明感が得られる画像が視認できるという効果がある。
【図面の簡単な説明】
【図１】本発明の第１の実施の形態を説明するための光ディスクの断面図である。
【図２】図１に示した光ディスクの貼り合わせ前の状態を説明する光ディスクの断面図である。
【図３】本発明の第２の実施の形態を説明するための光ディスクの断面図である。
【図４】図３に示した光ディスクの外観の一例を示す平面図である。
【図５】本発明の第３の実施の形態を説明するための光ディスクの断面図である。
【図６】本発明の第４の実施の形態を説明するための光ディスクの断面図である。
【図７】ＤＶＤ−５の構造を説明するための光ディスクの断面図である。
【図８】ＤＶＤ−１０の構造を説明するための光ディスクの断面図である。
【図９】ＤＶＤ−９の構造を説明するための光ディスクの断面図である。
【図１０】ＤＶＤ−１８の構造を説明するための光ディスクの断面図である。
【符号の説明】
１…第１の透明基盤、２…反射膜、３…透明保護膜、４…第２の透明基盤、５…接着層、６〜９、２３，２４…印刷層、１１…半透明膜、１２…透明樹脂層、１３…反射膜、２１…データ領域、２２…リードアウト部。
【図１】
0003555813.tif 000002
【図２】
0003555813.tif 000003
【図３】
0003555813.tif 000004
【図４】
0003555813.tif 000005
【図５】
0003555813.tif 000006
【図６】
0003555813.tif 000007
【図７】
0003555813.tif 000008
【図８】
0003555813.tif 000009
【図９】
0003555813.tif 000010
【図１０】
0003555813.tif 000011